(57)【要約】【課題】  全体の構成を簡略化して、製造コストを低減するとともに現実の販売商品に近い状態で展示される自動販売機用商品見本の提供。【解決手段】  見本展示用ステージの水平な上面に着脱自在に装着される見本表示体支持具１１と、販売商品を表示する見本表示体１２とを備え、見本表示体支持具１１は、見本展示用ステージ１上面に着脱自在に固定される底版部１３と、底版部１３の上面背側部に一体に立ち上げた見本支持部と、見本支持部の両側部に配置され、見本表示体１２の側縁が係止される表示体取付部１４とを備え、見本表示体１２は、透光性を有する熱可塑性合成樹脂板材をプレス加工して容器を前後に半割した形状に成形され、側縁に見本表示体取付部１４に係止される係止片３９を一体に備える。【選択図】  図１
2005182095.tif 000002
【特許請求の範囲】
【請求項１】
自動販売機の前面部に設置された見本展示用ステージの水平な上面に着脱自在に装着される見本表示体支持具と、該見本表示体支持具に着脱自在に装着され、販売商品を表示する見本表示体とを備えてなる自動販売機用商品見本において、
前記見本表示体支持具は、前記見本展示用ステージ上面に着脱自在に固定され、前記見本表示体の下部を支持する底版部と、該底版部の上面背側部に一体に立ち上げた見本支持部と、該見本支持部の両側部に配置され、前記見本表示体の側縁が係止される表示体固定部とを備え、
見本表示体は、透光性を有する熱可塑性合成樹脂板材をプレス加工して容器を前後に半割した形状に成形され、側縁に見本表示体取付部に係止される係止片を一体に備えたことを特徴としてなる自動販売機用商品見本。
【請求項２】
見本表示体は、底面より突出し、底版部に形成された照明用透孔に嵌合する係合凸部を備えた請求項１に記載の自動販売機用商品見本。
【請求項３】
見本支持部は、底版部の上面に一体に立ち上げたスライド基部と、該スライド基部にスライド自在に係合されたスライド支持部とを備え、該スライド支持部に見本表示体の上部を支持させる請求項１又は２に記載の自動販売機用商品見本。
【請求項４】
見本表示体支持具は、透光性を有する合成樹脂材をもって構成した請求項１、２又は３に記載の自動販売機用商品見本。
【発明の詳細な説明】
【技術分野】
【０００１】
本発明は、主に缶又はペットボトル入り飲料等の自動販売機用商品見本に関する。
【背景技術】
【０００２】
従来、缶又はペットボトル入り飲料等の自動販売機では、その商品見本として販売商品と同じ缶又はペットボトル等の容器を自動販売機の前面部に設置された見本展示用ステージに陳列し、それらの前方上下から前面に光を当てるようにしたものが使用されている。
【０００３】
しかし、見本外部から照光する方式では照明効果が薄いため、透光性の商品見本を使用し、見本内部に照光して見本全体を浮かび上がらせるようにした言わば内部照明方式が広く採用され、これらの内部照明方式の商品見本は、取換え可能な合成樹脂性の薄板に印刷を施した透光性の見本表示体が使用され、色あせによって消費者の購買意欲を減じさせないこと、及び販売商品の変更に合わせて迅速に交換できるようにするために、見本表示体を必要に応じて取換えできるようにしている。
【０００４】
この内部照明方式の商品見本には、例えば、図１７に示すように、商品展示見本を上面が水平なステージ上に設置し、該ステージ下に照明器具を設置し、ステージに開けた照明孔を通して商品見本の底部から内部を照明するようにした言わば下部照光方式が広く知られている。
【０００５】
この商品見本２は、自動販売機の前面部に設置された見本展示用ステージ１の水平な上面１ａに形成された照明用透孔を兼ねた取付孔５，５…に対し着脱自在に装着される缶やペットボトル等の容器の形状に似せた外観を有する合成樹脂製の見本表示体支持具６と、見本表示体支持具６の前面に着脱自在に装着され、商品の外観を印刷したフィルム状の見本表示体７とを備え、見本表示体７を下方から照明するようになっている。
【発明の開示】
【発明が解決しようとする課題】
【０００６】
しかし、上述の如き従来の技術では、見本表示体支持具の形状が複雑であるため、合成樹脂によるモールド成形をする際に、成形型の形状が複雑となり、見本表示体支持具の製造コストが嵩むという問題があり、その一方で見本表示体支持具の材質や形状が実際の商品と異なり、現実感に欠けるという問題もある。
【０００７】
更に、この商品見本では、自動販売機の販売商品を入れ替える際に、フィルム状の見本表示体を交換することによって他商品の商品見本への入れ替えを設置現場において容易に行うことができるが、２８０ｍｌ用ペットボトルと５００ｍｌ用ペットボトルのように、上下方向の寸法が異なる商品を入れ替える際には、商品見本を見本表示体支持具ごと交換しなければならず、設置場所における交換が煩わしいという問題がある。
【０００８】
また、この商品見本では、全体の外観において、モールド成形される見本表示体支持具の露出する割合が多く、したがって高い商品イメージを維持するためには、フィルム状の見本表示体のみならず、見本表示体支持具の交換をも頻繁に行う必要が生じるという問題がある。
【０００９】
そこで本発明は、上述の従来技術の問題を鑑み、全体の構成を簡略化して、製造コストを低減するとともに現実の販売商品に近い状態で展示される自動販売機用商品見本の提供を目的としてなされたものである。
【課題を解決するための手段】
【００１０】
上述の如き従来の問題を解決し、所期の目的を達成するための請求項１に記載の発明は、自動販売機の前面部に設置された見本展示用ステージの水平な上面に着脱自在に装着される見本表示体支持具と、該見本表示体支持具に着脱自在に装着され、販売商品を表示する見本表示体とを備えてなる自動販売機用商品見本のおいて、
前記見本表示体支持具は、前記見本展示用ステージ上面に着脱自在に固定され、前記見本表示体の下部を支持する底版部と、該底版部の上面背側部に一体に立ち上げた見本支持部と、該見本支持部の両側部に配置され、前記見本表示体の側縁が係止される表示体取付部とを備え、
見本表示体は、透光性を有する熱可塑性合成樹脂板材をプレス加工して容器を前後に半割した形状に成形され、側縁に見本表示体取付部に係止される係止片を一体に備えた自動販売機用商品見本であることを特徴とする。
【００１１】
請求項２に記載の発明は、請求項１の構成に加え、見本表示体は、底面より突出し、底版部に形成された照明用透孔に嵌合する係合凸部を備えたことを特徴とする。
【００１２】
請求項３に記載の発明は、請求項１又は２の構成に加え、見本支持部は、底版部の上面に一体に立ち上げたスライド基部と、該スライド基部にスライド自在に係合されたスライド支持部とを備え、該スライド支持部に見本表示体の上部を支持させることを特徴とする。
【００１３】
請求項４に記載の発明は、請求項１、２又は３の構成に加え、見本表示体支持具は、透光性を有する合成樹脂材をもって構成したことを特徴とする。
【発明の効果】
【００１４】
本発明に係る自動販売機用商品見本は、透光性を有する熱可塑性合成樹脂板材をプレス加工して缶やペットボトル等の容器を前後に半割した形状に成形したことによって、見本表示体の形状を簡素化し、コストを低減するとともに、見本表示体全体が下方からの照明を受けて鮮明度が増し、顧客吸引効果が増大する。
【００１５】
また、見本表示体をブロー成形を行わずに、現実の缶やペットボトル等の容器に似せた形状に成形できるので現実感のある商品見本を安価に製造することができる。
【００１６】
また、見本支持部をスライド基部と、スライド支持部とをもって構成したことによって、共通の見本表示体支持具に対して、２８０ｍｌペットボトル用見本表示体と５００ｍｌペットボトル用見本表示体のように上下寸法の異なる見本表示体が取付可能となりコストが低減される。
【発明を実施するための最良の形態】
【００１７】
次に、本発明に係る自動販売機用商品見本について説明する。尚、上述の従来例と同一の部分には、同一符号を付して説明を省略する。
【００１８】
図１は、商品見本を自動販売機の前面部に設置された見本展示用ステージに取り付けた状態を示し、図中符号１０は商品見本、符号１は見本展示用ステージである。
【００１９】
見本展示用ステージ１は、図１７に示す従来例と同様に、水平配置の上面板１ａを備え、上面板には、間隔を隔てて照明用透孔を兼ねた複数の取付孔５，５…が形成されている。
【００２０】
商品見本１０は、この取付孔５に取り付けられるようになっている。
【００２１】
また、見本展示用ステージ１の内部には、照明用の蛍光灯３が配置され、取付孔５を通して商品見本１０を照らすようになっている。
【００２２】
商品見本１０は、図２に示すように、見本展示用ステージ１の上面板１ａに着脱自在に固定される見本表示体支持具１１と、見本表示体支持具１１に支持される見本表示体１２とを備えている。
【００２３】
見本表示体支持具１１は、図３〜図５に示すように、見本展示用ステージ１の上面板１ａに固定される底版部１３と、底版部１３の上面背側部に立ち上げた見本支持部と、見本支持部の両側部に配置された見本表示体取付部１４，１４とをもって構成されている。
【００２４】
底版部１３は、略円盤状に形成され、その中央部に照明用の透孔１５が形成されており、またその下面には見本展示用ステージ１の取付孔５に着脱可能に嵌合される枠状の取付凸部１６が一体に形成されている。
【００２５】
この取付凸部１６には、左右対称の位置に取付凸部１６の外周に沿って形成されたばね片１７と、ばね片１７の下面に一体に形成された外向きに突出した係止片１８とを備えている。
【００２６】
また、ばね片１７は、一方の端部が取り付け凸部１６に支持された片持ち状態に形成され、他方の端部の外面に係合突起１９が一体に形成されている。
【００２７】
一方前述した見本展示用ステージ１の取付孔５には、係止片１８が通過する着脱用切欠部が設けられ、係止片１８をこの着脱用切欠部に整合させて、取付凸部１６を取付孔５に嵌合させ、この状態で旋回させることにより係止片１８が取付孔５の下側に入るとともに、ばね片１７の係合突起１９が取付孔５の内縁に当接され、取付凸部１６が抜け止めされるようになっている。
【００２８】
見本支持部は、底版部１３の上面背側部に一体に立ち上げられたスライド基部２０と、スライド基部２０とスライド自在に係合されるスライド支持部２１とをもって構成されている。
【００２９】
スライド基部２０は、底板部１３とともに見本表示体支持具１１の下半体を構成し、底版部１３上面より立ち上げた互いに対向する一対の両側版２２，２２と、両側版２２，２２を連結する背側版２３とをもって断面Ｈ字形に一体成形され、その前面部にスライド支持部がスライド自在に嵌り込むスライド溝２４が形成されている。
【００３０】
両側版２２，２２の前側縁には、即ち背側版２３とは反対側の縁部には、内向きの係合突条２５，２５が互いに対向して形成され、この係合突条２５，２５に係止されてスライド支持部２１の側部が係止され、前後方向に移動不能且つ上下方向にスライド自在に摺動するようになっている。
【００３１】
背側版２３は、前面部に複数の節度用凹欠部２６ａ，２６ｂ，２６ｃ，２６ｄが所定の間隔を隔てて形成され、この節度用凹欠部２６ａ，２６ｂ，２６ｃ，２６ｄに合わせてスライド支持部２１を摺動させることによって、各容量の見本表示体に適応するようになっている。
【００３２】
スライド支持部２１は、図６〜図８に示すように、スライド基部２０にスライド自在に嵌り込むスライド本体２７と、スライド本体２７の上端部に一体に形成され見本表示体１２の上部に嵌り込み見本表示体１２を保持する見本保持部２８とを備えて一体に形成されている。
【００３３】
スライド本体２７は、背側版２９及び両側版３０，３０からなる断面コ字形に形成され、その両側部前面側には、見本表示体取付部１４が一体に形成されている。
【００３４】
また、スライド本体２７の背側版２９の下端部には、各節度用凹欠部２６ａ，２６ｂ，２６ｃ，２６ｄに係合する係合突起３１ａを有する弾性係止片３１が一体に形成されている。
【００３５】
弾性係止片３１は、背側版２９に上向きに開口したコ字型の切欠きを設けることにより形成され、その下端部外側に係合突起３１ａが一体に形成され、この係合突起３１ａが各節度用凹欠部２６ａ，２６ｂ，２６ｃ，２６ｄに弾性的に係合することによってスライド本体２７が各容量に適応した位置に固定されるようになっている。
【００３６】
また、両側版３０，３０の背側両側部には、横方向に突出して摺動突片３２，３２が一体に形成され、この摺動突片３２が係合用突条２３，２３と互いに係合すること、即ち、摺動突片３２が背側版前面と係合突条２５との間に嵌り込むことにより、スライド基部２０に対しスライド支持部２１が上下方向にスライド自在且つ後方向に移動不能に係合されるようになっている。
【００３７】
見本保持部２８は、キャップ部分の形状に合わせて半円状に形成された嵌合部３３を備え、この嵌合部３３が見本支持体１２のキャップ部分の裏面側に嵌り込み見本表示体１２の上部を保持するようになっている。
【００３８】
見本表示体取付部１４は、スライド本体２７の側版前側縁より横方向に向けて一体に形成された連結板３４と、連結板３４と直交配置に形成された係止体３５とを備え、係止体３５には後方が解放された係止凹部３６が形成されている。
【００３９】
見本表示体１２は、透光性を有する熱可塑性樹脂製の板材をプレス加工することにより、缶又はペットボトル等の容器を前後に半割した形状に成形されている。
【００４０】
見本表示体１２の下面には、下向きに突出した係止突起３７が一体に形成され、この係止突起３７を底版部１３に形成された透孔１５に係止させることにより、見本表示体１２の下縁部が見本表示体支持具１１に対し保持されるようになっている。
【００４１】
また、見本表示体１２の両側縁には、折り目３８を介して係止片３９，３９が一体に形成されている。
【００４２】
この係止片３９は、折り目３８とは反対側の端部の両縁部に係止突起４０，４０を備えた略Ｔ字状に形成されている。
【００４３】
この見本表示体１２を見本表示体支持具１１に取り付けるには、係止突起３７を底版部１３に形成された透孔１５に係止させた状態で、スライド支持部２１の見本保持部２８が見本表示体１２の上部、即ちキャップ部分の裏面に嵌り込むように見本表示体１２を配置し、係止片３９を折り目３８より内側に折り曲げ、係止凹部３６を通して見本表示体取付部１４の係止体内側面、即ち係止凹部３６の縁部に係止突起４０，４０を当接させて係止させることにより、見本表示体１２を見本表示体支持具１１に固定するようになっている。
【００４４】
このとき、係止片３９は、弾性により外側に付勢され、元の位置に戻ろうとする為、係止突起４０，４０が好適な接触圧で係止体３５の内側面に当接するようになっている。
【００４５】
この見本表示体１２を成形するには、まず、透光性を有する熱可塑性樹脂材からなる板材４１に商品を表示する印刷４２を施す。このとき、成形による印刷部の変形を考慮して所定の印刷を行う。
【００４６】
次に、加熱しながらプレス加工し、図９に示すように、板材４１の表面より容器前半体が突出した形状に成形する。
【００４７】
そして、図に示す２点鎖線４３に沿って見本表示体１２の外輪郭を切り取ることによって完成する。
【００４８】
この自動販売機用商品見本１０は、各容量に対応した上下寸法の異なる見本表示体に対し、見本表示体支持具１１のスライド支持部２１をスライド基部２０に対して摺動させるとともに、係合突起３１ａを各容量に対応した節度用凹欠部２６ａ，２６ｂ，２６ｃ，２６ｄに係止させること、例えば、５００ｍｌペットボトル用商品見本１２の場合、図１０に示すように係合突起３１ａを２６ａに係止させることによって、見本表示体支持具１１を各容量に対応した見本表示体１２に対応させ、その見本表示体支持具１１に対し、係止片３９を折り目３８より内側に折り曲げ、係止凹部３６を通して見本表示体取付部１４の係止体３５内側面、即ち係止凹部３６の縁部に係止突起４０，４０を当接させて係止させることにより、見本表示体１２を見本表示体支持具１１に固定するとともに、スライド支持部２１の見本保持部（嵌合部）２８を見本表示体１２上部のキャップ部分に裏面より嵌めこみ保持させることによって、見本表示体１２を安定した状態で支持するようになっている。
【００４９】
次に本発明に係る自動販売機用商品見本の他の実施形態について説明する。尚、上述の実施例と同一の部分には、同一符号を付して説明を省略する。
【００５０】
図１１は、商品見本を展示用ステージに取り付けた状態を示し、図中符号５０は商品見本、符号１は見本展示用ステージである。
【００５１】
見本展示用ステージ１は、図１７に示す従来例と同様に、水平配置の上面板を備え、上面板には、間隔を隔てて照明用透孔を兼ねた複数の取付孔５，５…が形成されている。
【００５２】
商品見本５０は、この取付孔５に取り付けられるようになっている。
【００５３】
また、見本展示用ステージ１の内部には、照明用の蛍光灯３が配置され、取付孔５を通して商品見本５０を照らすようになっている。
【００５４】
商品見本５０は、図１２に示すように、見本展示用ステージ１に着脱自在に固定される見本表示体支持具５１と、見本表示体支持具５１に支持される見本表示体５２とを備えている。
【００５５】
見本表示体支持具５１は、図１３〜図１５に示すように、見本展示用ステージ１の上面に着脱自在に固定される底版部５３と、底版部５３の上面背側部より立ち上げた見本支持部５４と、見本支持部５４の両側部に配置された見本表示体取付部５５とを備え合成樹脂材をもって一体に形成されている。
【００５６】
底版部５３は、略円盤状に形成され、その中央部に照明用の透孔５６が形成されており、またその下面には見本展示用ステージ１の取付孔５に着脱可能に嵌合される枠状の取付凸部５７が一体に形成されている。
【００５７】
この取付凸部５７には、左右対称の位置に取付凸部５７の外周に沿って形成されたばね片５８と、ばね片５８の下面に一体に形成された外向きに突出した係止片５９とを備えている。
【００５８】
また、ばね片５８は、一方の端部が取り付け凸部５７に支持された片持ち状態に形成され、他方の端部の外面に係合突起６０が一体に形成されている。
【００５９】
一方前述した見本展示用ステージ１の取付孔５には、係止片５９が通過する着脱用切欠部が設けられ、係止片１８をこの着脱用切欠部に整合させて、取付凸部５７を取付孔５に嵌合させ、この状態で旋回させることにより係止片５９が取付孔５の下側に入るとともに、ばね片５８の係合突起６０が取付孔５の内縁に当接され、取付凸部５７が抜け止めされるようになっている。
【００６０】
見本支持部５４は、底版部５３の上面より一体に立ち上げた互いに対向する一対の側版６１，６１と、両側版６１，６１の背側縁間を連結する背側版６２とを備え、前向きに解放した断面コ字型に形成されている。
【００６１】
また、側版６１の前側下端部には、倒れ防止用リブ６１ａ，６１ａが前面側に突出して一体に形成されており、その下縁で見本表示体１２の底部を押さえ見本表示体１２が倒れるのを防止している。
【００６２】
見本支持部５４の上端両側部には、見本表示体取付部５５が一体に形成され、見本表示体５２の側縁を保持するようになっている。
【００６３】
見本表示体取付部５５は、見本支持部５４の側版前側縁より横方向に向けて一体に形成された連結板６３と、連結板６３と直交配置に形成された係止体６４とを備え、係止体６４には後方が解放された係止凹部６５が形成されている。
【００６４】
見本表示体５２は、図９に示す上述の実施例と同様に、透光性を有する熱可塑性樹脂材からなる板材をプレス加工することによりペットボトル等の容器を略半割した形状に形成され、その側縁には、見本表示体取付部５５に係止される係止片６６が一体に形成され、見本表示体５２の下面には、下向きに突出した係止突起６７が一体に形成されている。
【００６５】
この係止片６６は、上述の図９に示す実施例と同様に、折り目３８とは反対側の端部の両縁部に係止突起４０，４０を備えた略Ｔ字状に形成されている。
【００６６】
また、各容量の見本表示体は、それぞれ係止片６６より下部の構成が共通化されており、共通の見本表示体支持具５１に対し、各見本表示体が取り付け可能となっている。
【００６７】
尚、見本表示体支持具１１，５１は、ポリカーボネート等の透光性を有する透明な合成樹脂材をもって成形するようにしてもよく、その際には透孔１５，５６は設けなくとも良い。
【００６８】
また、上述の実施例では、ペットボトル用の見本表示体を使用した例について説明したが、見本表示体７０は、図１６に示すように、缶を前後に半割した形状に形成してもよい。
【００６９】
更に、倒れ防止用リブ６１ａ，６１ａは、見本表示体支持具１１に設けても良い、即ち、スライド基部２０を構成する両側版２２，２２の前側下端部に倒れ防止用リブを設けても良い。
【図面の簡単な説明】
【００７０】
【図１】本発明に係る自動販売機用商品見本を見本展示用ステージに取り付けた状態を示す縦断面図である。
【図２】図１中の自動販売機用商品見本を示す分解斜視図である。
【図３】同上の見本表示体支持具の下半体を示す正面図である。
【図４】同上の平面図である。
【図５】同上の縦断面図である。
【図６】同上のスライド支持部を示す正面図である。
【図７】同上のスライド支持部を示す平面図である。
【図８】同上のスライド支持部を示す縦断面図である。
【図９】図２中の見本表示体のプレス加工品を示す斜視図である。
【図１０】５００ｍｌペットボトル用に対応させた自動販売機用商品見本を示す分解斜視図である。
【図１１】本発明に係る他の自動販売機用商品見本を見本展示用ステージに取り付けた状態を示す縦断面図である。
【図１２】図１１中の商品見本を示す分解斜視図である。
【図１３】同上の見本表示体支持具を示す正面図である。
【図１４】同上の平面図である。
【図１５】同上の縦断面図である。
【図１６】他の見本表示体のプレス加工品を示す斜視図である。
【図１７】従来の自動販売機用商品見本を見本展示用ステージに取り付けた状態を示す縦断面図である。
【符号の説明】
【００７１】
１０  商品見本
１１  見本表示体支持具
１２  見本表示体
１３  底版部
１４  見本表示体取付部
１５  透孔
１６  取付凸部
１７  ばね片
１８  係止片
１９  係合突起
２０  スライド基部
２１  スライド支持部
２２  側版
２３  背側版
２４  スライド溝
２５  係合突条
２６ａ，２６ｂ，２６ｃ，２６ｄ  節度用凹欠部
２７  スライド本体
２８  見本保持部
２９  背側版
３０  側版
３１  弾性係止片
３１ａ  係合突起
３２  摺動突片
３３  嵌合部
３４  連結板
３５  係止体
３６  係止凹部
３７  係止突起
３８  折り目
３９  係止片
４０  係止突起
４１  熱可塑性合成樹脂板材
４２  印刷
４３  鎖線（切り取り線）
５０  商品見本
５１  見本表示体支持具
５２  見本表示体
５３  底版部
５４  見本支持部
５５  見本表示体取付部
５６  透孔
５７  取付凸部
５８  ばね片
５９  係止片
６０  係合突起
６１  側版
６２  背側版
６３  連結板
６４  係止体
６５  係止凹部
６６  係止片
【図１】
2005182095.tif 000003
【図２】
2005182095.tif 000004
【図３】
2005182095.tif 000005
【図４】
2005182095.tif 000006
【図５】
2005182095.tif 000007
【図６】
2005182095.tif 000008
【図７】
2005182095.tif 000009
【図８】
2005182095.tif 000010
【図９】
2005182095.tif 000011
【図１０】
2005182095.tif 000012
【図１１】
2005182095.tif 000013
【図１２】
2005182095.tif 000014
【図１３】
2005182095.tif 000015
【図１４】
2005182095.tif 000016
【図１５】
2005182095.tif 000017
【図１６】
2005182095.tif 000018
【図１７】
2005182095.tif 000019